(57)【要約】【課題】無線通信システムで、特定加入者の端末だけが使用できる無線基地局の動作を自動で制御することを目的とする。【解決手段】複数の第１の無線基地局と、該複数の第１の無線基地局のうち少なくとも一つの無線基地局の配下に含まれ、特定加入者の端末が利用可能な第２の無線基地局とを有する無線通信システムにおいて、特定加入者の端末に、第１の無線基地局の識別子である第１の識別子と、第２の無線基地局の識別子である第２の識別子を予め登録し、特定加入者の端末は、在圏するセルの識別子が第１及び第２の識別子以外であるときに第１の情報を、在圏するセルの識別子が第１又は第２の識別子であるときに第２の情報を、第２の無線基地局に宛てて送信し、第２の無線基地局は、受信した前記第１又は第２の情報に基づいて、動作制御される。【選択図】  図７
2010074465.tif 000002
【特許請求の範囲】
【請求項１】
複数の第１の無線基地局と、該複数の第１の無線基地局のうち少なくとも一つの無線基地局の配下に含まれ、特定加入者の端末が利用可能な第２の無線基地局とを有する無線通信システムにおいて、
前記特定加入者の端末に、前記第１の無線基地局の識別子である第１の識別子と、前記第２の無線基地局の識別子である第２の識別子を予め登録し、
前記特定加入者の端末は、在圏するセルの識別子が前記第１及び第２の識別子以外であるときに第１の情報を、在圏するセルの識別子が前記第１又は第２の識別子であるときに第２の情報を、前記第２の無線基地局に宛てて送信し、
前記第２の無線基地局は、受信した前記第１又は第２の情報に基づいて、動作制御される
ことを特徴とする無線通信システム。
【請求項２】
前記第２の無線基地局は、受信した前記第１の情報又は第２の情報に基づいて、自局の無線出力を低下もしくは停止させる制御を行う制御部を有することを特徴とする請求項１に記載の無線通信システム。
【請求項３】
請求項１記載の無線通信システムにおいて、
前記特定加入者の端末は、更に、在圏するセルの識別子が前記第１又は第２の識別子の状態で電源オフ時に前記第１の情報を生成し、在圏するセルの識別子が電源オン時に在圏するセルの識別子が前記第１又は第２の識別子であるとき前記第２の情報を生成して前記第２の無線基地局に宛てて送信する、
ことを特徴とする無線通信システム。
【請求項４】
前記第１又は第２の情報は、前記第１の無線基地局に送信され、該第１の無線基地局の移動通信事業者網と接続される公衆ＩＰ網を経由して前記第２の無線基地局に宛てて送信されることを特徴とする請求項１に記載の無線通信システム。
【請求項５】
複数の第１の無線基地局と、該複数の第１の無線基地局のうちの少なくとも一つの無線基地局の配下に含まれる第２の無線基地局とを有する無線通信システムであって、前記第２の無線基地局に対して特定加入者の端末として利用可能な端末装置において、
前記第１の無線基地局の識別子である第１の識別子と、前記第２の無線基地局の識別子である第２の識別子を予め登録した登録手段と、
在圏するセルの識別子が前記第１及び第２の識別子以外であるか、在圏するセルの識別子が前記第１又は第２の識別子であるかを判定する判定手段と、
を有することを特徴とする端末装置。
【請求項６】
複数の無線基地局と、該複数の無線基地局のうち少なくとも一つの無線基地局の配下に含まれ特定加入者の端末が利用可能な無線基地局において、
在圏するセルの識別子に応じた情報を、加入者端末から受信する受信部と、
受信した前記識別子に応じた情報に基づいて、前記特定加入者の端末に対する動作制御を行う制御部と、
を有することを特徴とする無線基地局。
【発明の詳細な説明】
【技術分野】
【０００１】
本発明は、端末装置と無線基地局移動局間を無線接続する無線通信システム、端末装置及び無線基地局に関する。
【背景技術】
【０００２】
次世代移動通信システムとして３ＧＰＰ（３ｒｄ  Ｇｅｎｅｒａｔｉｏｎ  Ｐａｒｔｎｅｒｓｈｉｐ  Ｐｒｏｊｅｃｔ）にて議論されているＬＴＥ（Ｌｏｎｇ  Ｔｅｒｍ  Ｅｖｏｌｕｔｉｏｎ）などの仕様の一部として、家庭ないしオフィス等に設置され、特定の加入者が専用的に使用する小型無線基地局（以下、「Ｈｏｍｅ  ｅＮＢ」と呼ぶ）に関する検討が行われている。
【０００３】
従来の無線基地局は、移動通信事業者が自ら契約したビルの屋上などに設置され、無線基地局の電源や、無線基地局から移動通信事業者の網までの接続回線も移動通信事業者自らが用意し、また、その無線基地局が提供するセルは、一般的に当該移動通信事業者の契約加入者の全てが利用可能であった。これに対し、Ｈｏｍｅ  ｅＮＢは、当該移動通信事業者の加入者が自宅等に設置し、電源や回線も加入者が用意し、当該Ｈｏｍｅ  ｅＮＢが提供するセルは、当該加入者及び当該加入者が許可した一部の加入者のみ、例えば家族が使用可能である点が特徴である。
【０００４】
Ｈｏｍｅ  ｅＮＢを用いることで、移動通信事業者は、移動通信サービスのカバレッジを比較的容易に拡張できると共に、Ｈｏｍｅ  ｅＮＢ経由で通信する場合に加入者より徴収する通信費用を、一般的な固定網経由で通信する場合の費用と同等に抑えるなどして、携帯電話による固定網の代替を促し、家庭でも外出先でも同一の無線端末にて通信サービスをシームレスに提供するというような新しいサービスを提供することが可能となる。
【０００５】
図１に、Ｈｏｍｅ  ｅＮＢを用いたセル構成の一例を示す。同図中、無線基地局（ｅＮＢ：ｅｖｏｌｖｅｄ  Ｎｏｄｅ  Ｂ）１は、移動通信事業者の網（移動通信網）２に接続されており、無線基地局１はマクロセル３，４を配下に形成している。
【０００６】
マクロセル３内には小型無線基地局であるＨｏｍｅ  ｅＮＢ５が設けられている。Ｈｏｍｅ  ｅＮＢ５は、例えば公衆ＩＰ（Ｉｎｔｅｒｎｅｔ  Ｐｒｏｔｏｃｏｌ）網７を介して移動通信網２に接続されると共に、Ｈｏｍｅ  ｅＮＢセル８を配下に形成している。
【０００７】
Ｈｏｍｅ  ｅＮＢ５は公衆ＩＰ網７と、光ケーブルやＡＤＳＬ等のブロードバンド回線によって接続されている。
【０００８】
なお、基地局に対して使用が許可された端末のみが、その基地局を使用した通信を可能とする技術や、また、超小型基地局から携帯網への通知／設定を行い干渉回避のために近隣基地局とは異なる拡散符号／識別コードを用いる技術や、更には、端末の位置登録により構内ネットワークへの侵入／離脱を認識してサービスの開始／終了を行う技術が知られている（特許文献１，２，３参照）。
【特許文献１】特開２００５−１０９５７０号公報
【特許文献２】特開２００６−２６１７２２号公報
【特許文献３】特開２００４−２７４７６７号公報
【発明の開示】
【発明が解決しようとする課題】
【０００９】
Ｈｏｍｅ  ｅＮＢに関しては様々な運用形態があるが、その一つとして、特に家庭に設置された場合には、その家族の端末からのみアクセスを許容するという使用形態が考えられる。このような、使用できる加入者を限定したＨｏｍｅ  ｅＮＢにおいては、長時間に渡り、そのカバレッジエリアに加入者が全く存在しないケースが生じうる。
【００１０】
一般に無線基地局は、当該基地局のカバレッジエリアに加入者が存在していなくても常に報知情報を送信し続け、加入者がカバレッジエリアに移動してきた場合に、新規の発呼要求やハンドオーバ要求を即座に受け入れ、スムースに移動網に接続できる環境を提供し続ける。
【００１１】
Ｈｏｍｅ  ｅＮＢにおいても、同様の仕組みが適用されるが、上記に示したような使用形態のＨｏｍｅ  ｅＮＢにとっては、長時間に渡り無駄な情報を送信し続けることになる。これは、電力を無駄に消費してしまう点、また周辺セルに無用な干渉を与えるという点で効率的でない。
【００１２】
しかしながら、一度報知情報送信を停止してしまうと、当該Ｈｏｍｅ  ｅＮＢを利用できる加入者がカバレッジエリアに近づいた場合に、それを検出し、報知情報の送信を再開させる方法がない。よって従来は、報知情報は常に送信し続けるか、又はスムースな接続環境の提供をあきらめ、Ｈｏｍｅ  ｅＮＢ加入者の家族の外出時に手動で切断し、帰宅時に手動で接続するというような運用方法をとるしかないという問題があった。
【００１３】
更に、Ｈｏｍｅ  ｅＮＢが例えば学校や企業等に設置され、所属する人間のみがアクセス可能な使用形態においては、カバレッジエリアから最後に退出する加入者が、自らが最後かどうかを知るのは困難であり、手動で電源を停止する判断をすることが現実には不可能であるという問題があった。
【００１４】
開示の無線通信システムは、特定加入者の端末だけが使用できる無線基地局の動作を自動で制御することを目的とする。
【課題を解決するための手段】
【００１５】
開示の一実施態様による無線通信システムは、複数の第１の無線基地局と、該複数の第１の無線基地局のうち少なくとも一つの無線基地局の配下に含まれ、特定加入者の端末が利用可能な第２の無線基地局とを有する無線通信システムにおいて、
前記特定加入者の端末に、前記第１の無線基地局の識別子である第１の識別子と、前記第２の無線基地局の識別子である第２の識別子を予め登録し、
前記特定加入者の端末は、在圏するセルの識別子が前記第１及び第２の識別子以外であるときに第１の情報を、在圏するセルの識別子が前記第１又は第２の識別子であるときに第２の情報を、前記第２の無線基地局に宛てて送信し、
前記第２の無線基地局は、受信した前記第１又は第２の情報に基づいて、動作制御される。
【発明の効果】
【００１６】
開示の無線通信システムによれば、スムーズな接続環境の提供を行えると共に、特定加入者の端末だけが使用できる無線基地局の省電力制御を実現することができる。
【発明を実施するための最良の形態】
【００１７】
以下、図面に基づいて実施形態について説明する。
【００１８】
<実施形態>
図２は、無線通信システムのセル構成の一実施形態を示す。同図中、複数の無線基地局（ｅＮＢ）１１ａ〜１１ｇ（１１ａのみ図示）は、移動通信事業者の網（移動通信網）１２に接続されており、各無線基地局１１ａ〜１１ｇは各マクロセル１３ａ〜１３ｇを配下に形成している。つまり、無線基地局１１ａがマクロセル１３ａを、無線基地局１１ｂがマクロセル１３ｂを、以下同様にして、無線基地局１１ｇがマクロセル１３ｇを配下に形成している。
【００１９】
また、移動通信網１２には、無線通信システム全体を制御する制御装置としてのＭＭＥ（Ｍｏｂｉｌｉｔｙ  Ｍａｎａｇｅｍｅｎｔ  Ｅｎｔｉｔｙ）１４が設けられている。
【００２０】
マクロセル１３ａ内にはＨｏｍｅ  ｅＮＢ１５がその配下に設けられている。Ｈｏｍｅ  ｅＮＢ１５は、例えば公衆ＩＰ網１７を介して移動通信事業者の移動通信網１２に接続されており、Ｈｏｍｅ  ｅＮＢ１５はＨｏｍｅ  ｅＮＢセル１８を配下に形成している。Ｈｏｍｅ  ｅＮＢ１５は公衆ＩＰ網１７と、光ケーブルやＡＤＳＬ等のブロードバンド回線によって接続されている。なお、端末（ＵＥ：Ｕｓｅｒ  Ｅｑｕｉｐｍｅｎｔ）１９は、Ｈｏｍｅ  ｅＮＢ１５を利用可能な端末を示している。
【００２１】
この場合、Ｈｏｍｅ  ｅＮＢセル１８をＨｏｍｅ  ｅＮＢエリアと呼び、Ｈｏｍｅ  ｅＮＢセル１８と重複してＨｏｍｅ  ｅＮＢセル１８を囲むマクロセル１３ａを近傍特定エリアと呼び、マクロセル１３ａ以外のマクロセル１３ｂ〜１３ｇを周辺エリアと呼ぶ。また、無線基地局１１ａ〜１１ｇはマクロセルを形成しているため、マクロｅＮＢとも呼ぶ。
【００２２】
Ｈｏｍｅ  ｅＮＢ１５を利用可能な端末１９に対しては、当該Ｈｏｍｅ  ｅＮＢ１５のセル識別子と、当該Ｈｏｍｅ  ｅＮＢ１５の近傍特定エリア１３ａを構成するマクロセルのセル識別子（１つ又は複数）を予め登録しておく。
【００２３】
<端末と移動通信網との間のコネクション確立時の端末動作>
Ｈｏｍｅ  ｅＮＢ１５を利用可能な端末１９は、移動通信網１２との間にコネクションを確立している状態（ＣＯＮＮＥＣＴＥＤ状態）では、以下の動作を行う。
【００２４】
端末１９は、接続セルを変更する都度、元々在圏していたセルのセル識別子と、新たに接続するセルのセル識別子を、Ｈｏｍｅ  ｅＮＢ１５のセル識別子と近傍特定エリア１３ａのマクロセルのセル識別子と比較する。
【００２５】
図３に示すように、元々在圏していたセルのセル識別子が近傍特定エリア１３ａのマクロセルのセル識別子に一致し、新たに接続するセルのセル識別子がＨｏｍｅ  ｅＮＢ１５のセル識別子と近傍特定エリア１３ａのマクロセルのセル識別子に一致しない場合、つまり、端末１９が近傍特定エリア１３ａから周辺エリア１３ｆに移動した場合、周辺エリア１３ｆのマクロセルを経由して確立してあるコネクションを用いて、移動通信網１２のＭＭＥ１４に対して「外出」メッセージを送る。なお、「外出」メッセージが第１の情報に相当する。
【００２６】
図４に示すように、元々在圏していたセルのセル識別子がＨｏｍｅ  ｅＮＢ１５のセル識別子と近傍特定エリア１３ａのマクロセルのセル識別子に一致せず、新たに接続するセルのセル識別子が近傍特定エリア１３ａのマクロセルのセル識別子に一致する場合、つまり、周辺エリア１３ｆから近傍特定エリア１３ａに移動した場合、近傍特定エリア１３ａのマクロセルを経由して確立してあるコネクションを用いて、ＭＭＥ１４に対して「帰宅」メッセージを送る。なお、「帰宅」メッセージが第２の情報に相当する。
【００２７】
また、端末１９が電源オン状態から電源オフ状態になった場合、端末１９は電源オン時に接続していたセルのセル識別子と、Ｈｏｍｅ  ｅＮＢ１５のセル識別子，近傍特定エリア１３ａのマクロセルのセル識別子を比較する。
【００２８】
接続していたセルのセル識別子がＨｏｍｅ  ｅＮＢ１５のセル識別子又は近傍特定エリア１３ａのマクロセルのセル識別子に一致する場合、端末１９の電源をオフする前に、確立中のコネクションを用いてＭＭＥ１４に対して「外出」メッセージを送る。
【００２９】
<端末と移動通信網との間のコネクション非確立時の端末動作>
Ｈｏｍｅ  ｅＮＢ１５を利用可能な端末１９は、移動通信網１２との間にコネクションを確立していない状態（ＩＤＬＥ状態）では、以下の動作を行う。
【００３０】
端末１９は、モニタセルを変更する都度、元々モニタしていたセルのセル識別子と、新たにモニタするセルのセル識別子を、Ｈｏｍｅ  ｅＮＢ１５のセル識別子と近傍特定エリア１３ａのマクロセルのセル識別子とを比較する。
【００３１】
元々モニタしていたセルのセル識別子が近傍特定エリア１３ａのマクロセルのセル識別子に一致し、新たにモニタするセルのセル識別子がＨｏｍｅ  ｅＮＢ１５のセル識別子と近傍特定エリア１３ａのマクロセルのセル識別子に一致しない場合、つまり、端末１９が近傍特定エリア１３ａから周辺エリア１３ｆに移動した場合、周辺エリア１３ｆのセルを経由してコネクションを確立し、それを用いてＭＭＥ１４に対して「外出」メッセージを送る。
【００３２】
元々モニタしていたセルのセル識別子がＨｏｍｅ  ｅＮＢ１５のセル識別子と近傍特定エリア１３ａのマクロセルのセル識別子に一致せず、新たにモニタするセルのセル識別子が近傍特定エリア１３ａのマクロセルのセル識別子に一致する場合、つまり、周辺エリア１３ｆから近傍特定エリア１３ａに移動した場合、近傍特定エリア１３ａのセルを経由してコネクションを確立し、それを用いてＭＭＥ１４に対して「帰宅」メッセージを送る。
【００３３】
また、端末１９の電源オフ状態から電源オン状態になった場合、端末１９は位置登録を行うセルのセル識別子と、Ｈｏｍｅ  ｅＮＢ１５のセル識別子，近傍特定エリア１３ａのマクロセルのセル識別子とを比較する。
【００３４】
位置登録を行うセルのセル識別子がＨｏｍｅ  ｅＮＢ１５のセル識別子又は近傍特定エリア１３ａのマクロセルのセル識別子に一致する場合、位置登録を行うために確立したコネクションを用いてＭＭＥ１４に対して「帰宅」メッセージを送る
端末１９の電源オン状態から電源オフ状態になった場合、端末１９は電源オン時にモニタしていたセルのセル識別子と、Ｈｏｍｅ  ｅＮＢ１５のセル識別子，近傍特定エリア１３ａのマクロセルのセル識別子とを比較する。
【００３５】
モニタしていたセルのセル識別子がＨｏｍｅ  ｅＮＢ１５のセル識別子又は近傍特定エリア１３ａのマクロセルのセル識別子に一致する場合、端末１９の電源をオフする前に、当該セル経由でコネクションを確立し、それを用いてＭＭＥ１４に対して「外出」メッセージを送る。
【００３６】
<ＭＭＥとＨｏｍｅ  ｅＮＢの動作>
図５に示すように、「帰宅」メッセージ又は「外出」メッセージを受信したＭＭＥ１４は、当該メッセージを該当するＨｏｍｅ  ｅＮＢ１５に転送する。
【００３７】
Ｈｏｍｅ  ｅＮＢ１５では、Ｈｏｍｅ  ｅＮＢ１５を利用可能な全ての端末の状態を管理する。すなわち、最後に受信したメッセージが「外出」メッセージである場合を「外出状態」、「帰宅」メッセージである場合を「帰宅状態」とする。
【００３８】
Ｈｏｍｅ  ｅＮＢ１５を利用可能な全ての端末が「外出状態」になった場合、Ｈｏｍｅ  ｅＮＢ１５は出力電力を低下もしくはオフとして、関連報知情報の送信を停止する。
【００３９】
報知情報の送信を停止した状態で、Ｈｏｍｅ  ｅＮＢ１５を利用可能な端末の少なくとも１つが「帰宅状態」になった場合、Ｈｏｍｅ  ｅＮＢ１５は出力電力をオンもしくは定格出力として、関連報知情報の送信を再開する。
【００４０】
<端末の構成>
図６は、Ｈｏｍｅ  ｅＮＢを利用可能な端末の一実施形態の機能構成図を示す。同図中、端末１９は、電源オン／オフ検出部３１と、セル変更検出部３２と、呼処理部３３と、送信メッセージ管理テーブル３４と、メッセージ送信部３５を有している。
【００４１】
電源オン／オフ検出部３１は、端末電源のオン及びオフを検出すると、呼処理部３３に検出結果を通知する。
【００４２】
セル変更検出部３２は、自端末１９が在圏するセルが変更したことを検出すると、検出結果として自端末１９が在圏するセルを呼処理部３３に通知する。
【００４３】
呼処理部３３は、内蔵する記憶部３３ａに変更前状態と変更後状態を記憶しており、電源オン／オフ検出部３１又はセル変更検出部３２から検出結果の通知を受けると、記憶部３３ａの変更後状態を変更前状態に移したのち、通知された検出状態を記憶部３３ａの変更後状態に記憶する。更に、呼処理部３３は記憶部３３ａの変更前状態と変更後状態を用いて送信メッセージ管理テーブル３４を検索する。
【００４４】
送信メッセージ管理テーブル３４内には、自端末が利用可能なＨｏｍｅ  ｅＮＢのセル識別子と、近傍特定エリアのマクロセルのセル識別子（１つ又は複数）が予め登録されている。なお、自端末が利用可能なＨｏｍｅ  ｅＮＢが複数の場合は、送信メッセージ管理テーブルが複数設けられる。
【００４５】
送信メッセージ管理テーブル３４には、図７に示すように、変更前状態と変更後状態とに応じ、予め送信メッセージが登録されている。すなわち、変更前状態が電源オンでＨｏｍｅ  ｅＮＢ配下エリアであり、変更後状態が電源オフであれば、「外出」メッセージが設定されている。また、変更前状態が電源オンで近傍特定エリアであり、変更後状態が電源オンで周辺エリア又は電源オフであれば、「外出」メッセージが設定されている。
【００４６】
更に、変更前状態が電源オンで周辺エリアであり、変更後状態が近傍特定エリアであれば、「帰宅」メッセージが設定されている。変更前状態が電源オフであり、変更後状態が電源オンでＨｏｍｅ  ｅＮＢ配下エリア又は近傍特定エリアであれば、「帰宅」メッセージが設定されている。なお、送信メッセージ管理テーブルの「なし」と記した部分にはメッセージは設定されていない。
【００４７】
呼処理部３３は送信メッセージ管理テーブル３４の検索によって「外出」メッセージ又は「帰宅」メッセージが得られた場合、得られた「外出」メッセージ又は「帰宅」メッセージをメッセージ送信部３５に供給する。
【００４８】
メッセージ送信部３５は、供給された「外出」メッセージ又は「帰宅」メッセージをＲＲＣ（Ｒａｄｉｏ  Ｒｅｓｏｕｒｃｅ  Ｃｏｎｔｒｏｌ）メッセージとしてｅＮＢ又はＨｏｍｅ  ｅＮＢを介してＭＭＥ１４に送信する。
【００４９】
図８にＲＲＣメッセージの一実施形態のフォーマットを示す。同図中、先頭にＲＲＣヘッダが設けられ、これに続くメッセージタイプに「Ｈｏｍｅ  ｅＮＢ通知メッセージ（アップリンク）」が設定される。信号種別には、「帰宅」メッセージ又は「外出」メッセージが設定され、端末識別子に送信元の端末１９の識別子が設定される。また、ＭＭＥ識別子にＭＭＥ１４の識別子が設定され、Ｈｏｍｅ  ｅＮＢ識別子に送信先のＭＭＥ１４が本メッセージを送信する先のＨｏｍｅ  ｅＮＢ１５の識別子が設定される。
【００５０】
なお、上記のＲＲＣメッセージはｅＮＢ又はＨｏｍｅ  ｅＮＢにおいて後述する図１２のＳ１−ＡＰプロトコルのメッセージに変換されてＭＭＥ１４に送信される。
図１２にｅＮＢ又はＨｏｍｅ  ｅＮＢからＭＭＥに送信されるメッセージの一実施形態のフォーマットを示す。
【００５１】
図９は、端末の呼処理部が実行する処理の一実施形態のフローチャートを示す。同図中、ステップＳ１１で呼処理部３３は電源オン／オフ検出部３１又はセル変更検出部３２から検出結果を受信する。
【００５２】
ステップＳ１２で呼処理部３３は状態変化があったか否かを判別し、状態変化がなければステップＳ１１に進み、状態変化があればステップＳ１３に進む。ステップＳ１３で呼処理部３３は変更前状態と変更後状態を用いて送信メッセージ管理テーブル３４を検索して送信メッセージを判定する。
【００５３】
ステップＳ１４で呼処理部３３は送信メッセージが得られたか否かを判別する。送信メッセージが得られない場合はステップＳ１１に進む。送信メッセージが得られた場合はステップＳ１５で自端末がアイドル状態か否かを判別し、自端末がアイドル状態の場合にはステップＳ１６でＭＭＥ１４とのＲＲＣコネクションを確立してステップＳ１７に進む。
【００５４】
自端末がアイドル状態ではなく移動通信網１２とのコネクションが確立している場合はステップＳ１７に進む。ステップＳ１７では送信メッセージ管理テーブル３４から得られた「外出」メッセージ又は「帰宅」メッセージをｅＮＢ又はＨｏｍｅ  ｅＮＢ経由でＭＭＥ１４に送信してステップＳ１１に進む。
【００５５】
<Ｈｏｍｅ  ｅＮＢの構成>
図１０は、Ｈｏｍｅ  ｅＮＢの一実施形態の機能構成図を示す。同図中、Ｈｏｍｅ  ｅＮＢ１５は、Ｓ１メッセージ受信部４１と、呼処理部４２と、端末状態管理テーブル４３と、無線出力制御部４４と、ＲＲＣメッセージ受信部４５と、メッセージ変換部４６と、Ｓ１メッセージ送信部４７を有している。
【００５６】
Ｓ１メッセージ受信部４１は、ＭＭＥ１４から移動通信網１２及びＩＰ網１７を介して伝送されたＳ１−ＡＰプロトコルのメッセージを受信して呼処理部４２に供給する。なお、Ｓ１はＬＴＥにおけるＭＭＥ１４とｅＮＢ間のインタフェース名であり、Ｓ１−ＡＰはＳ１インタフェース上の制御信号プロトコルである。
【００５７】
図１１にＭＭＥからＨｏｍｅ  ｅＮＢに送信されるメッセージの一実施形態のフォーマットを示す。同図中、先頭にＳ１−ＡＰヘッダが設けられ、これに続くメッセージタイプに「ダウンリンク（ＭＭＥ１４からＨｏｍｅ  ｅＮＢに送信）」が設定される。信号種別には、「帰宅」又は「外出」が設定され、端末識別子に送信先の端末の識別子が設定される。
【００５８】
呼処理部４２は、Ｓ１メッセージ受信部４１から上記メッセージが供給されると、メッセージの端末識別子で端末状態管理テーブル４３を参照し、端末状態管理テーブル４３における当該端末１９の状態をメッセージの信号種別の「帰宅」又は「外出」で更新する。
【００５９】
端末状態管理テーブル４３には、Ｈｏｍｅ  ｅＮＢ１５に接続可能な全ての端末について、端末名と、端末識別子と、状態（「帰宅」又は「外出」）が登録されている。
【００６０】
また、呼処理部４２は端末状態管理テーブル４３に登録されている全端末１９の状態が「外出」であるか否かに応じて無線出力制御部４４の無線出力を制御する。
【００６１】
無線出力制御部４４は、端末状態管理テーブル４３に登録されている全ての端末１９の状態が「外出」であるとき無線出力をオフ（もしくは低下）し、全端末１９の状態が「外出」ではないとき無線出力をオン（もしくは定格出力）とする。
【００６２】
ＲＲＣメッセージ受信部４５は、端末１９から送信されたＲＲＣメッセージを受信してメッセージ変換部４６に供給する。メッセージ変換部４６は上記のＲＲＣメッセージをＳ１−ＡＰプロトコルのメッセージに変換し、Ｓ１メッセージ送信部４７よりＩＰ網１７及び移動通信網１２を介してＭＭＥ１４に送信する。
【００６３】
図１２にｅＮＢ又はＨｏｍｅ  ｅＮＢからＭＭＥに送信されるメッセージの一実施形態のフォーマットを示す。同図中、先頭にＳ１−ＡＰヘッダが設けられ、これに続くメッセージタイプに「アップリンク（Ｈｏｍｅ  ｅＮＢからＭＭＥ１４に送信）」が設定される。信号種別には、「帰宅」又は「外出」が設定され、端末識別子に送信元の端末１９の識別子が設定される。また、ＭＭＥ識別子に送信先のＭＭＥ１４の識別子が設定され、Ｈｏｍｅ  ｅＮＢ識別子にＭＭＥ１４が本メッセージを送信する先のＨｏｍｅ  ｅＮＢ１５の識別子が設定される。
【００６４】
図１３は、Ｈｏｍｅ  ｅＮＢの呼処理部４２が実行する処理の一実施形態のフローチャートを示す。同図中、ステップＳ２１で呼処理部４２はＨｏｍｅ  ｅＮＢに送信されたメッセージを受信する。
【００６５】
ステップＳ２２で呼処理部４２は受信したメッセージの端末識別子で端末状態管理テーブル４３を参照し、端末状態管理テーブル４３における当該端末の状態をメッセージの信号種別の「帰宅」又は「外出」で更新する。こののち、ステップＳ２３で呼処理部４２は端末状態管理テーブル４３に登録されている全端末の状態が「外出」であるか否かを判別する。
【００６６】
全ての端末の状態が「外出」である場合にはステップＳ２４に進み、無線出力制御部４４が無線出力中であればステップＳ２５で無線出力制御部４４をオフ（もしくは低下）してステップＳ２１に進む。
【００６７】
全ての端末の状態が「外出」ではない場合にはステップＳ２６に進み、無線出力制御部４４が無線停止中であればステップＳ２７で無線出力制御部４４をオン（もしくは定格出力）としてステップＳ２１に進む。
【００６８】
<端末の登録情報>
ここで、図１４に示すように、Ｈｏｍｅ  ｅＮＢセル１８ａと重複してＨｏｍｅ  ｅＮＢセル１８ａを囲む１つのマクロセル１３ａを近傍特定エリアとし、Ｈｏｍｅ  ｅＮＢセル１８ａのセル識別子＝１２、近傍特定エリアであるマクロセル１３ａのセル識別子＝５８であり、端末Ａ（識別子＝１０１）と端末Ｂ（識別子＝１６２）と端末Ｃ（識別子＝１６）のみがＨｏｍｅ  ｅＮＢセル１８を使用可能である場合について説明する。
【００６９】
この場合、端末Ａ，Ｂ，Ｃそれぞれには、自端末が利用可能なＨｏｍｅ  ｅＮＢ１８ａのセル識別子＝１２、近傍特定エリアのマクロセルのセル識別子＝５８を予め登録する。
【００７０】
次に、図１５に示すように、Ｈｏｍｅ  ｅＮＢセル１８ｂと重複又は隣接してＨｏｍｅ  ｅＮＢセル１８ｂを囲む３つのマクロセル１３ａ，１３ｂ，１３ｃを近傍特定エリアとし、Ｈｏｍｅ  ｅＮＢセル１８ｂのセル識別子＝１２、近傍特定エリアであるマクロセル１３ａのセル識別子＝５８、マクロセル１３ｂのセル識別子＝２６１、マクロセル１３ｃのセル識別子＝１２２であり、端末Ａ（識別子＝１０１）と端末Ｂ（識別子＝１６２）と端末Ｃ（識別子＝１６）のみがＨｏｍｅ  ｅＮＢセル１８ｂを使用可能である場合について説明する。
【００７１】
この場合、端末Ａ，Ｂ，Ｃそれぞれには、自端末が利用可能なＨｏｍｅ  ｅＮＢ１８ｂのセル識別子＝１２、近傍特定エリアのマクロセルのセル識別子＝５８，１２２，２６１を予め登録する。
【００７２】
図１６は、メッセージ送受信の一実施形態のシーケンスを示す。同図中、端末１９で「外出」又は「帰宅」メッセージの送信トリガが発生する（Ｓ３１）。端末１９がアイドル状態の場合にはＭＭＥ１４とのＲＲＣコネクションを確立したのち（Ｓ３２）、端末１９は「外出」又は「帰宅」メッセージをマクロｅＮＢ１１ａに送信し（Ｓ３３）、マクロｅＮＢ１１ａはこの「外出」又は「帰宅」メッセージをＭＭＥ１４に送信する（Ｓ３４）。
【００７３】
ＭＭＥ１４は、受信した「外出」又は「帰宅」メッセージをＨｏｍｅ  ｅＮＢ１５に転送する（Ｓ３５）。これによって、Ｈｏｍｅ  ｅＮＢ１５は端末状態管理テーブル４３を更新し、必要であれば無線出力制御部４４の制御を行う。
【００７４】
上記実施形態によれば、Ｈｏｍｅ  ｅＮＢ１５は、自らの配下及びその近傍特定エリアに在圏するＨｏｍｅ  ｅＮＢを利用可能な端末１９の出入りを管理することができ、自らの配下及びその近傍特定エリアに端末１９が在圏していない場合には、報知情報の送信を停止することができる。これにより、無用な干渉や電力の消費を防ぐことができる。
【００７５】
逆に、近傍特定エリアに端末１９が存在する場合には、報知情報を送信することができる。これにより、端末１９がＨｏｍｅ  ｅＮＢ１５にスムースに接続する環境を提供できる。
（付記１）
複数の第１の無線基地局と、該複数の第１の無線基地局のうち少なくとも一つの無線基地局の配下に含まれ、特定加入者の端末が利用可能な第２の無線基地局とを有する無線通信システムにおいて、
前記特定加入者の端末に、前記第１の無線基地局の識別子である第１の識別子と、前記第２の無線基地局の識別子である第２の識別子を予め登録し、
前記特定加入者の端末は、在圏するセルの識別子が前記第１及び第２の識別子以外であるときに第１の情報を、在圏するセルの識別子が前記第１又は第２の識別子であるときに第２の情報を、前記第２の無線基地局に宛てて送信し、
前記第２の無線基地局は、受信した前記第１又は第２の情報に基づいて、動作制御される
ことを特徴とする無線通信システム。
（付記２）
前記第２の無線基地局は、受信した前記第１の情報又は第２の情報に基づいて、自局の無線出力を低下もしくは停止させる制御を行う制御部を有することを特徴とする付記１に記載の無線通信システム。
（付記３）
付記１記載の無線通信システムにおいて、
前記特定加入者の端末は、更に、在圏するセルの識別子が前記第１又は第２の識別子の状態で電源オフ時に前記第１の情報を生成し、在圏するセルの識別子が電源オン時に在圏するセルの識別子が前記第１又は第２の識別子であるとき前記第２の情報を生成して前記第２の無線基地局に宛てて送信する、
ことを特徴とする無線通信システム。
（付記４）
前記第１又は第２の情報は、前記第１の無線基地局に送信され、該第１の無線基地局の移動通信事業者網と接続される公衆ＩＰ網を経由して前記第２の無線基地局に宛てて送信されることを特徴とする付記１に記載の無線通信システム。
（付記５）
複数の第１の無線基地局と、該複数の第１の無線基地局のうちの少なくとも一つの無線基地局の配下に含まれる第２の無線基地局とを有する無線通信システムであって、前記第２の無線基地局に対して特定加入者の端末として利用可能な端末装置において、
前記第１の無線基地局の識別子である第１の識別子と、前記第２の無線基地局の識別子である第２の識別子を予め登録した登録手段と、
在圏するセルの識別子が前記第１及び第２の識別子以外であるか、在圏するセルの識別子が前記第１又は第２の識別子であるかを判定する判定手段と、
を有することを特徴とする端末装置。
（付記６）
複数の無線基地局と、該複数の無線基地局のうち少なくとも一つの無線基地局の配下に含まれ特定加入者の端末が利用可能な無線基地局において、
在圏するセルの識別子に応じた情報を、加入者端末から受信する受信部と、
受信した前記識別子に応じた情報に基づいて、前記特定加入者の端末に対する動作制御を行う制御部と、
を有することを特徴とする無線基地局。
（付記７）
付記１記載の無線通信システムにおいて、
前記第２の無線基地局は、全ての特定加入者の端末について外出又は帰宅の状態を登録している端末状態管理テーブルを、受信した前記第１又は第２の情報により更新する
ことを特徴とする無線通信システム。
【図面の簡単な説明】
【００７６】
【図１】Ｈｏｍｅ  ｅＮＢを用いたセル構成の一例を示す図である。
【図２】無線通信システムのセル構成の一実施形態を示す図である。
【図３】端末動作を説明するための図である。
【図４】端末動作を説明するための図である。
【図５】ＭＭＥの動作を説明するための図である。
【図６】端末の一実施形態の機能構成図である。
【図７】送信メッセージ管理テーブルを示す図である。
【図８】ＲＲＣメッセージの一実施形態のフォーマットである。
【図９】端末が実行する処理の一実施形態のフローチャートである。
【図１０】Ｈｏｍｅ  ｅＮＢの一実施形態の機能構成図である。
【図１１】ＭＭＥからＨｏｍｅ  ｅＮＢに送信されるメッセージの一実施形態のフォーマットである。
【図１２】ｅＮＢ又はＨｏｍｅ  ｅＮＢからＭＭＥに送信されるメッセージの一実施形態のフォーマットである。
【図１３】Ｈｏｍｅ  ｅＮＢが実行する処理の一実施形態のフローチャートである。
【図１４】近傍特定エリアが１つの場合を説明するための図である。
【図１５】近傍特定エリアが複数の場合を説明するための図である。
【図１６】メッセージ送受信の一実施形態のシーケンスである。
【符号の説明】
【００７７】
１１  無線基地局
１２  移動通信網
１３ａ〜１３ｇ  マクロセル
１４  ＭＭＥ
１５  Ｈｏｍｅ  ｅＮＢ
１７  ＩＰ網
１８  Ｈｏｍｅ  ｅＮＢセル
１９  端末
３１  電源オン／オフ検出部
３２  セル変更検出部
３３  呼処理部
３４  送信メッセージ管理テーブル
３５  メッセージ送信部
４１  Ｓ１メッセージ受信部
４２  呼処理部
４３  端末状態管理テーブル
４４  無線出力制御部
４５  ＲＲＣメッセージ受信部
４６  メッセージ変換部
４７  Ｓ１メッセージ送信部
【図１】
2010074465.tif 000003
【図２】
2010074465.tif 000004
【図３】
2010074465.tif 000005
【図４】
2010074465.tif 000006
【図５】
2010074465.tif 000007
【図６】
2010074465.tif 000008
【図７】
2010074465.tif 000009
【図８】
2010074465.tif 000010
【図９】
2010074465.tif 000011
【図１０】
2010074465.tif 000012
【図１１】
2010074465.tif 000013
【図１２】
2010074465.tif 000014
【図１３】
2010074465.tif 000015
【図１４】
2010074465.tif 000016
【図１５】
2010074465.tif 000017
【図１６】
2010074465.tif 000018